(57)【要約】【課題】ユーザが殆ど意識することなく携帯電話機の個人データのバックアップをとることができ、しかもバックアップ設備の導入に伴う費用負担を最小限に抑えることができるデータ管理装置を提供する。【解決手段】携帯電話機１の充電装置２への装着時に充電装置２の第１記憶手段１１の有無を調べ、第１記憶手段１１が装着されていれば、携帯電話機１のユーザインタフェースからの転送指示を待った後に携帯電話機１の第２記憶手段２３から第１記憶手段１１に個人データの転送を開始する。そして、データ転送完了時には、携帯電話機１の音声、表示又はバイブレータ機能を用いてユーザにその完了を知らせる。充電装置２に接続する第１記憶手段１１に印加する電圧や制御信号は携帯電話機１側より供給する。【選択図】　　　図１
2004112458.tif 000002
【特許請求の範囲】
【請求項１】
携帯電話機の内蔵バッテリを充電する充電装置に設けられる第１記憶手段と、前記携帯電話機が前記充電装置に装着されたことを検知すると前記携帯電話機と前記充電装置との間の接続部分を介して前記携帯電話機に設けられる第２記憶手段と前記充電装置の第１記憶手段との間でデータの転送を行うデータ転送手段と、を具備することを特徴とするデータ管理装置。
【請求項２】
前記第１記憶手段と前記第２記憶手段との間のデータ転送方向を切り替えるデータ転送方向切替手段をさらに具備し、前記データ転送手段は、前記携帯電話機が前記充電装置に装着されたことを検知すると前記データ転送方向切替手段にて設定された方向でデータの転送を行い、データ転送完了時にはその完了を知らせる報知を行うことを特徴とする請求項１記載のデータ管理装置。
【請求項３】
前記データ転送方向切替手段は、前記携帯電話機に設けられるユーザインタフェース又は手動スイッチにて得られる切替指令に従ってデータ転送方向を切り替えることを特徴とする請求項２記載のデータ管理装。
【請求項４】
前記データ転送方向切替手段は、前記充電装置に設けられる手動スイッチにて得られる切替信号に従ってデータ転送方向を切り替えることを特徴とする請求項２記載のデータ管理装置。
【請求項５】
前記データ転送手段は、前記携帯電話機に備えられている音声、表示又はバイブレータ機能を用いてデータ転送完了の報知を行うことを特徴とする請求項３または請求項４に記載のデータ管理装置。
【請求項６】
前記第１記憶手段は、前記充電装置に対して着脱自在であることを特徴とする請求項１ないし請求項５のいずれかに記載のデータ管理装置。
【請求項７】
携帯電話機の内部メモリのデータを管理するデータ管理方法であって、前記携帯電話機の内蔵バッテリを充電する充電装置にデータ保存用のメモリを設け、前記携帯電話機が前記充電装置に接続された状態で、前記携帯電話機のユーザインタフェースにて前記携帯電話機の内部メモリと前記充電装置のメモリとの間で転送を希望するデータを選択することで、当該データを前記携帯電話機の内部メモリから前記充電装置のメモリに又は前記充電装置のメモリから前記携帯電話機の内部メモリに転送を行うと共に、転送完了時には前記携帯電話機に備えられている音声、表示又はバイブレータ機能を用いてデータ転送完了をユーザに報知することを特徴とするデータ管理方法。
【発明の詳細な説明】
【０００１】
【発明の属する技術分野】
本発明は、携帯電話機に用いて好適なデータ管理装置及びデータ管理方法に関する。
【０００２】
【従来の技術】
近年、重要なコミュニケーション手段になっている携帯電話機では、それに記憶させている電話帳、受信メール、着信メロディーデータ、画像データ等の個人データはユーザにとって非常に重要なものである。ユーザが日々携帯電話機を使用するにあたって、万が一携帯電話機を紛失したり破損したりすると個人データが失われることになる。また、機種変更したり修理に出したりした場合には、第３者が個人データを扱うことから個人情報が漏洩する可能性もある。
【０００３】
このような個人データを失ってしまう事態や個人情報の漏洩を防ぐため、携帯電話機をパーソナルコンピュータ（以下、パソコンと言う）などと接続して、パソコン内にデータをバックアップしたり、必要に応じてデータを携帯電話機本体へアップロードする仕組みが実現されている（特許文献１）。また、特許文献２に開示されているように、携帯電話機に脱着可能なバックアップ装置を接続して、データのバックアップを行う仕組みも実現されている。
【０００４】
【特許文献１】
特開平６−９０３０９号公報
【特許文献２】
特開２０００−１１５３４６号公報
【０００５】
【発明が解決しようとする課題】
しかしながら、このような従来の手法では、次のような問題がある。すなわち、ユーザは常にバックアップを意識し、日々そのための操作をしなくてはならないので、ユーザへの負荷が大きい。また、パソコンやバックアップのためのソフトウェアやケーブルなどバックアップのための設備を導入するには費用負担が大きく、さらにパソコンを操作する高度な知識が必要となる。
【０００６】
本発明は、係る点に鑑みてなされたものであり、ユーザが殆ど意識することなく携帯電話機の個人データのバックアップをとることができ、しかもバックアップ設備の導入に伴う費用負担を最小限に抑えることができるデータ管理装置及びデータ管理方法を提供することを目的とする。
【０００７】
【課題を解決するための手段】
請求項１に係る発明のデータ管理装置は、携帯電話機の内蔵バッテリを充電する充電装置に設けられる第１記憶手段と、前記携帯電話機が前記充電装置に装着されたことを検知すると前記携帯電話機と前記充電装置との間の接続部分を介して前記携帯電話機に設けられる第２記憶手段と前記充電装置の第１記憶手段との間でデータの転送を行うデータ転送手段と、を具備することを特徴とする。
【０００８】
この構成によれば、携帯電話機が充電装置に装着されると、携帯電話機と充電装置との間の接続部分即ちコネクタを介して携帯電話機と充電装置との間でデータの転送を行う。したがって、携帯電話機を利用する際に必要な充電作業において、バックアップをとるための操作を行ってデータ転送手段を作動させるだけで自動的にバックアップが行われる。すなわち、ユーザが殆ど意識することなくデータのバックアップをとることができる。
【０００９】
また、充電装置には、例えばメモリカードなどの第１記憶手段と、データを転送するデータ転送手段を追加するだけで、データのダウンロードやアップロードが実現できるため、データ管理のための設備導入費用を軽減でき、パソコンに関する知識が無くても容易にデータ管理が可能となる。
【００１０】
請求項２に係る発明のデータ管理装置は、請求項１に係る発明のデータ管理装置において、前記第１記憶手段と前記第２記憶手段との間のデータ転送方向を切り替えるデータ転送方向切替手段をさらに具備し、前記データ転送手段は、前記携帯電話機が前記充電装置に装着されたことを検知すると前記データ転送方向切替手段にて設定された方向でデータの転送を行い、データ転送完了時にはその完了を知らせる報知を行うことを特徴とする。
【００１１】
この構成によれば、携帯電話機の第２記憶手段から充電装置の第１記憶手段へのデータの転送及び充電装置の第１記憶手段から携帯電話機の第２記憶手段へのデータの転送のいずれか一方を任意に選択することができる。
【００１２】
請求項３に係る発明のデータ管理装置は、請求項２に係る発明のデータ管理装置において、前記データ転送方向切替手段は、前記携帯電話機に設けられるユーザインタフェース又は手動スイッチにて得られる切替指令に従ってデータ転送方向を切り替えることを特徴とする。
【００１３】
この構成によれば、携帯電話機側にて、携帯電話機の第２記憶手段から充電装置の第１記憶手段へのデータの転送又は充電装置の第１記憶手段から携帯電話機の第２記憶手段へのデータの転送の選択を行うことができる。
【００１４】
請求項４に係る発明のデータ管理装置は、請求項２に係る発明のデータ管理装置において、前記データ転送方向切替手段は、前記充電装置に設けられる手動スイッチにて得られる切替信号に従ってデータ転送方向を切り替えることを特徴とする。
【００１５】
この構成によれば、充電装置側にて、携帯電話機の第２記憶手段から充電装置の第１記憶手段へのデータの転送又は充電装置の第１記憶手段から携帯電話機の第２記憶手段へのデータの転送の選択を行うことができる。
【００１６】
請求項５に係る発明のデータ管理装置は、請求項３または請求項４に係る発明のデータ管理装置において、前記データ転送手段は、前記携帯電話機に備えられている音声、表示又はバイブレータ機能を用いてデータ転送完了の報知を行うことを特徴とする。
【００１７】
この構成によれば、データ転送完了の報知を携帯電話機に備わっている音声、表示又はバイブレータ機能を利用して行うので、その分コストダウンが可能となる。
【００１８】
請求項６に係る発明のデータ管理装置は、請求項１ないし請求項５のいずれかに係る発明のデータ管理装置において、前記第１記憶手段は、前記充電装置に対して着脱自在であることを特徴とする。
【００１９】
この構成によれば、第１記憶手段が充電装置に対して着脱自在であるので、他の充電装置に装着して他の携帯電話機にも同じデータを書き込むことができ、データの共用化が図れる。
【００２０】
請求項７に係る発明のデータ管理方法は、携帯電話機の内部メモリのデータを管理するデータ管理方法であって、前記携帯電話機の内蔵バッテリを充電する充電装置にデータ保存用のメモリを設け、前記携帯電話機が前記充電装置に接続された状態で、前記携帯電話機のユーザインタフェースにて前記携帯電話機の内部メモリと前記充電装置のメモリとの間で転送を希望するデータを選択することで、当該データを前記携帯電話機の内部メモリから前記充電装置のメモリに又は前記充電装置のメモリから前記携帯電話機の内部メモリに転送を行うと共に、転送完了時には前記携帯電話機に備えられている音声、表示又はバイブレータ機能を用いてデータ転送完了をユーザに報知することを特徴とする。
【００２１】
この方法によれば、携帯電話機が充電装置に装着されると、携帯電話機と充電装置との間の接続部分即ちコネクタを介して携帯電話機と充電装置との間でデータの転送を行う。したがって、携帯電話機を利用する際に必要な充電作業において、バックアップをとるための操作を行ってデータ転送機能を作動させるだけで自動的にバックアップが行われる。すなわち、ユーザが殆ど意識することなくデータのバックアップをとることができる。
【００２２】
また、充電装置には、例えばメモリカードなどのメモリと、データを転送するデータ転送機能を追加するだけで、データのダウンロードやアップロードが実現できるため、データ管理のための設備導入費用を軽減でき、パソコンに関する知識が無くても容易にデータ管理が可能となる。
【００２３】
【発明の実施の形態】
以下、本発明の実施の形態について、図面を参照して詳細に説明する。図１は本発明の実施の形態に係るデータ管理装置の充電装置側の構成を示すブロック図、図２は本実施の形態に係るデータ管理装置の携帯電話機側の構成を示すブロック図、図３は携帯電話機と充電装置の外観を示す斜視図である。
【００２４】
図１において、本実施の形態に係るデータ管理装置の充電装置２側は、携帯電話機１と接続するためのコネクタ１０と、充電装置２本体に対して着脱自在なメモリカード１１と、メモリカード１１を携帯電話機１に接続するためのインタフェース（Ｉ／Ｆ）１２とを有して構成される。充電装置２には、携帯電話機１の内蔵バッテリを充電するための充電回路１３が設けられている。なお、この充電回路１３とコネクタ１０は元々充電装置２に設けられているものである。
【００２５】
メモリカード１１に印加される電圧Ｖｂや制御信号Ｓｃは携帯電話機１により得られる。ここで、図４は充電装置２のコネクタ１０を示す図であり、コネクタ１０はデータを扱う情報端子１０Ａと電源を扱う電源端子１０Ｂとから成る。
【００２６】
一方、図２において、本実施の形態に係るデータ管理装置の携帯電話機１側は、充電装置２と接続するためのコネクタ２０と、装置各部を制御するマイクロコンピュータ（以下、マイコンと言う）２１と、マイコン２１を充電装置２に接続するためのインタフェース２２と、電話帳、受信メール、着信メロディーデータ、画像データ等の個人データを記憶するメモリ２３と、携帯電話機１の各種操作を行うためのユーザインタフェース２４と、携帯電話機１の各種操作に伴う表示を行う表示器２５と、バッテリ回路２６とを有して構成される。
【００２７】
なお、コネクタ２０、マイコン２１、メモリ２３、ユーザインタフェース２４、表示器２５及バッテリ回路２６は元々携帯電話機１に設けられているものであり、その一部をデータ管理装置として利用している。バッテリ回路２６には充電可能なバッテリが設けられており、充電装置２からの充電電流Ｉｃによって充電される。ここで、図５は携帯電話機１のコネクタ２０を示す図であり、コネクタ２０はデータを扱う情報端子２０Ａと電源を扱う電源端子２０Ｂとから成る。
【００２８】
マイコン２１は、インタフェース２２と充電装置２のインタフェース１２とが接続されることにより携帯電話機１と充電装置２との接続を検知する。そして、ユーザインタフェース２４からデータ転送指示があると、その指示に従ってメモリ２３のデータを充電装置２側のメモリカード１１へ転送又はメモリカード１１のデータを携帯電話機１のメモリ２３へ転送する。ユーザインタフェース２４の操作内容は表示器２５に表示され、携帯電話機１のユーザはこの表示を見ながら各種操作を行う。また、マイコン２１はデータの転送が完了すると、携帯電話機１に備わっている音声、表示又はバイブレータ機能を用いてユーザにデータ転送完了を知らせる報知を行う。
【００２９】
次に、上記構成のデータ管理装置の動作について説明する。充電装置２にメモリカード１１を装着した状態で、携帯電話機１を充電するため充電装置２に装着すると、携帯電話機１のマイコン２１は、充電装置２のメモリカード１１の検出を行う。メモリカード１１を検出した後、ユーザインタフェース２４からデータ転送指示があると、データ転送を開始する。この場合、メモリ２３のデータをメモリカード１１に転送する指示であれば、メモリ２３のデータを読み出してメモリカード１１に転送する。そして、データの転送が完了すると、マイコン２１は、音声、表示又はバイブレータ機能を用いてユーザにデータ転送完了を知らせる。これより、メモリ２３のデータのバックアップが完了する。
【００３０】
一方、携帯電話機１の破損、紛失、機種変更などによりメモリ２３のバックアップデータを携帯電話機１に書き込む場合、携帯電話機１のユーザは、ユーザインタフェース２４を操作してマイコン２１に対してメモリカード１１に保存されているバックアップデータを携帯電話機１に転送する指示を与える。そして、携帯電話機１を充電するため充電装置２に装着すると、マイコン２１は、メモリカード１１の検出を行い、検出後バックアップデータの転送を開始する。そして、データの転送が完了すると、マイコン２１は、音声、表示又はバイブレータ機能を用いてユーザにデータ転送完了を知らせる。これより、バックアップデータのメモリ２３への書き込みが完了する。
【００３１】
また、個人データの保存の場合、バックアップ用とは別のメモリカード１１を充電装置２に装着し、携帯電話機１のメニュー画面から保存したいデータを選択し、携帯電話機１を充電装置２に装着すると、マイコン２１は保存先となるメモリカード１１を検出した後、選択されたデータをメモリカード１１に転送する。そして、データの転送が完了すると、マイコン２１は、音声、表示又はバイブレータ機能を用いてユーザにデータ転送完了を知らせる。
【００３２】
また、個人データの書き換えの場合、ユーザは書き込みたいデータが記憶されたメモリカード１１を充電装置２に装着し、携帯電話機１を充電装置２に装着すると、マイコン２１はメモリカード１１を検出した後、記憶内容を把握する。そして、ユーザが携帯電話機１のメニュー画面からメモリカード１１にある書き込みたいデータを選択すると、マイコン２１はメモリカード１１から、選択されたデータを携帯電話機１のメモリ２３に転送する。そして、データの転送が完了すると、マイコン２１は、音声、表示又はバイブレータ機能を用いてユーザにデータ転送完了を知らせる。
【００３３】
以上説明したように、本実施の形態によれば、個人データのバックアップをユーザが意識することなく実現できるだけでなく、従来の手法に比べバックアップを実現するために必要な設備やそれを導入するための費用を大幅に削減でき、さらにユーザは特別な知識も必要としない。また、ユーザが希望するデータの保存や書き換えも、メモリカード１１以外に特別な設備を導入することなく安価かつ容易に実現できる。
【００３４】
なお、データの転送は、ユーザインタフェース２４以外にデータ転送用の手動スイッチを設けて、それを操作することで開始させるようにしても良い。この手動スイッチは充電装置２側に設けても良い。また、データの転送は、携帯電話機１を充電装置２に装着した時点から自動的に開始させるようにしても良い。
【００３５】
また、この場合、データ転送方向を切り替える手動スイッチを携帯電話機１又は充電装置２に設けて、この手動スイッチの設定に従って携帯電話機１のメモリ２３から充電装置２のメモリカード１１へ又はメモリカード１１からメモリ２３へデータを転送するようにしても良い。因みに、図６はデータ転送方向を切り替える手動スイッチを携帯電話機１と充電装置２の双方に設けた例を示している。４０は携帯電話機１に設けられた手動スイッチ、４１は充電装置２に設けられた手動スイッチである。
【００３６】
【発明の効果】
本発明のデータ管理装置によれば、携帯電話機が充電装置に装着されると、携帯電話機と充電装置との間の接続部分即ちコネクタを介して携帯電話機と充電装置との間でデータの転送を行う。したがって、携帯電話機を利用する際に必要な充電作業において、バックアップをとるための操作を行ってデータ転送手段を作動させるだけで自動的にバックアップが行われる。すなわち、ユーザが殆ど意識することなくデータのバックアップをとることができる。
【００３７】
また、充電装置には、例えばメモリカードなどの第１記憶手段と、データを転送するデータ転送手段を追加するだけで、データのダウンロードやアップロードが実現できるため、データ管理のための設備導入費用を軽減でき、パソコンに関する知識が無くても容易にデータ管理が可能となる。
【００３８】
また、本発明のデータ管理方法によれば、携帯電話機が充電装置に装着されると、携帯電話機と充電装置との間の接続部分即ちコネクタを介して携帯電話機と充電装置との間でデータの転送を行う。したがって、携帯電話機を利用する際に必要な充電作業において、バックアップをとるための操作を行ってデータ転送機能を作動させるだけで自動的にバックアップが行われる。すなわち、ユーザが殆ど意識することなくデータのバックアップをとることができる。
【００３９】
また、充電装置には、例えばメモリカードなどのメモリと、データを転送するデータ転送機能を追加するだけで、データのダウンロードやアップロードが実現できるため、データ管理のための設備導入費用を軽減でき、パソコンに関する知識が無くても容易にデータ管理が可能となる。
【図面の簡単な説明】
【図１】本発明の実施の形態に係るデータ管理装置の充電装置側の構成を示すブロック図である。
【図２】本発明の実施の形態に係るデータ管理装置の携帯電話機側の構成を示すブロック図である。
【図３】本発明の実施の形態に係るデータ管理装置を用いた充電装置と携帯電話機の外観を示す斜視図である。
【図４】本発明の実施の形態に係るデータ管理装置の充電装置のコネクタを示す図である。
【図５】本発明の実施の形態に係るデータ管理装置の携帯電話機のコネクタを示す図である。
【図６】本発明の実施の形態に係るデータ管理装置を用いた充電装置と携帯電話機の応用例の外観を示す斜視図である。
【符号の説明】
１　携帯電話機
２　充電装置
１０、２０　コネクタ
１０Ａ、２０Ａ　情報端子
１０Ｂ、２０Ｂ　電源端子
１１　メモリカード
１２、２２　インタフェース
１３　充電回路
２１　マイコン
２３　メモリ
２４　ユーザインタフェース
２５　表示器
２６　バッテリ回路
４０、４１　手動スイッチ
【図１】
2004112458.tif 000003
【図２】
2004112458.tif 000004
【図３】
2004112458.tif 000005
【図４】
2004112458.tif 000006
【図５】
2004112458.tif 000007
【図６】
2004112458.tif 000008